(57)【要約】【課題】  天井埋込型の空気調和装置において、ドレンパンの溝部に溜まったドレン水の水位変化を確認する際の視認性を向上させる。【解決手段】  空気調和装置１は、天井埋込式の空気調和装置であって、空調室の天井裏空間に配置されたケーシング２と、ケーシング２の下側に配置され吸入口３１と４つの吹出口３２ａ〜３２ｄとを有する化粧パネル３と、ケーシング２内に配置され吸入口３１からケーシング２内に吸入された空気と熱交換を行う熱交換器６と、ドレンパン７と、ドレンポンプ８とを備えている。ドレンパン７は、ケーシング２の下部に装着され、熱交換器６において発生したドレン水を受けるドレン水受け溝７３と、ドレン水受け溝７３の外側側壁７８の少なくとも一部を透明又は半透明にした透視部８１とを有している。ドレンポンプ８は、ドレン水受け溝７３で受けられたドレン水をケーシング２外に排出している。【選択図】      図４
2005140452.tif 000002
【特許請求の範囲】
【請求項１】
空調室の天井に埋め込まれるように装着された空気調和装置であって、
前記空調室の天井裏空間に配置されたケーシング（２、１０２）と、
前記ケーシングの下側に配置され、前記空調室内の空気を前記ケーシング内に吸入する吸入口（３１、１３１）と、前記ケーシング内から前記空調室内に空気を吹き出す吹出口（３２ａ〜３２ｄ、１３２ａ〜１３２ｇ）とを有する化粧パネル（３、１０３）と、
前記ケーシング内に配置され、前記吸入口から前記ケーシング内に吸入された空気と熱交換を行う熱交換器（６、１０６）と、
前記ケーシングの下部に装着され、前記熱交換器において空気中の水分が凝縮されることによって発生したドレン水を受ける溝部（７３、１７３）と、前記溝部の側壁（７８、７９、１７８、１７９）の少なくとも一部を透明又は半透明にした透視部（８１〜８４、１８１〜１８７）とを有するドレンパン（７、１０７）と、
前記溝部で受けられたドレン水を前記ケーシング外に排出するドレンポンプ（８、１０８）と、
を備えた空気調和装置（１、１０１）。
【請求項２】
前記透視部（８１〜８４、１８１〜１８７）は、前記溝部（７３、１７３）の側壁（７８、７９、１７８、１７９）の上端から下端まで延びている、請求項１に記載の空気調和装置（１、１０１）。
【請求項３】
前記透視部（８１〜８４、１８１〜１８７）は、冷房運転時に、前記熱交換器（６、１０６）によって冷却された空気が通過する空間（１１ｂ、１１１ｂ）に配置されている、請求項１又は２に記載の空気調和装置（１、１０１）。
【請求項４】
前記透視部（８１〜８４、１８１〜１８７）は、前記吹出口（３２ａ〜３２ｄ、１３２ａ〜１３２ｇ）から視認可能な位置に配置されている、請求項１〜３のいずれかに記載の空気調和装置（１、１０１）。
【請求項５】
前記透視部（８１〜８４、１８１〜１８７）は、前記ドレンポンプ（８、１０８）付近に配置されている、請求項１〜４のいずれかに記載の空気調和装置（１、１０１）。
【請求項６】
前記透視部（８１〜８４、１８１〜１８７）は、前記溝部（７３、１７３）の側壁（７８、１７８）の全周に形成されている、請求項１〜５のいずれかに記載の空気調和装置（１、１０１）。
【請求項７】
前記ドレンパン（７、１０７）は、前記溝部（７３、１７３）を有し不透明の断熱性材料からなるドレンパン本体（７ａ、１０７ａ）と、前記溝部の内面に重ね合わされた透明又は半透明の防水性材料からなる防水部材（７ｂ、１０７ｂ）とから構成されており、
前記防水部材の一部は、前記透視部（８１〜８４、１８１〜１８７）を構成している、
請求項１〜６のいずれかに記載の空気調和装置（１、１０１）。
【発明の詳細な説明】
【技術分野】
【０００１】
本発明は、空気調和装置、特に、空調室の天井に埋め込まれるように装着された空気調和装置に関する。
【背景技術】
【０００２】
従来の空調室の天井に埋め込まれるように装着された、いわゆる天井埋込型の空気調和装置は、主として、空調室の天井裏空間に配置されたケーシングと、ケーシングの下側に配置された化粧パネルと、ケーシング内に配置された熱交換器と、熱交換器において空気中の水分が凝縮されることによって発生したドレン水を受ける溝部を有するドレンパンと、ドレンパンの溝部で受けられたドレン水をケーシング外に排出するドレンポンプとを備えている。この空気調和装置では、装置据付後の試運転において、ドレンポンプの作動確認が行われる。このドレンポンプの動作確認は、ドレンポンプの作動によってケーシング外に排出されるドレン水が流れる排水パイプに接続されるソケット部を透明な材料で形成し、試運転時にソケットにおけるドレン水の流れを視認することによって行われる。
【０００３】
しかし、このようなドレンポンプの作動確認の方法では、試運転時において、排水パイプ及び排水パイプに接続されるソケットが天井裏空間に配置されているため、作業者が天井裏空間に入り込んでドレン水の流れを視認したり、又は、天井を開放した状態にして試運転を行わなければならないという問題が生じていた。
これを解決するために、ドレンパンの底部に透明又は半透明の膨出部を形成したドレン水排水確認構造を設けることによって、作業者が天井裏空間に入り込んだり、又は、天井を開放して試運転を行う必要なく空調室内からドレン水の流れを視認できるようにした空気調和装置が提案されている（例えば、特許文献１参照。）。
【０００４】
このドレン水排水確認構造では、膨出部がドレンパンの底部から上方に向かって膨出する形状を有しているため、その膨出高さを十分に高くしなければ、ドレンパンの溝部に溜まったドレン水の水位変化を視認することができない。しかし、膨出部の膨出高さを高くする場合、その膨出高さに応じて膨出部の平面視におけるサイズを大きくしないと膨出部における視認性が得られなくなるおそれがある。このため、ドレンパンの溝部の溝幅が小さい場合や溝部の深さが大きい場合等のように、膨出部を配置するスペースが確保できない場合には、膨出部における十分な視認性が得られないという問題が生じる。また、ドレンパンの底部は汚れやすいため、空気調和装置の通常運転時やメンテナンス後の試運転時において、汚れにより膨出部における視認性が損なわれてしまうという問題が生じる。
【特許文献１】特開平９−５３８３７号公報
【発明の開示】
【発明が解決しようとする課題】
【０００５】
本発明の課題は、天井埋込型の空気調和装置において、ドレンパンの溝部に溜まったドレン水の水位変化を確認する際の視認性を向上させることにある。
【課題を解決するための手段】
【０００６】
請求項１に記載の空気調和装置は、空調室の天井に埋め込まれるように装着された空気調和装置であって、ケーシングと、化粧パネルと、熱交換器と、ドレンパンと、ドレンポンプとを備えている。ケーシングは、空調室の天井裏空間に配置されている。化粧パネルは、ケーシングの下側に配置され、空調室内の空気をケーシング内に吸入する吸入口と、ケーシング内から空調室内に空気を吹き出す吹出口とを有している。熱交換器は、ケーシング内に配置され、吸入口からケーシング内に吸入された空気と熱交換を行う。ドレンパンは、ケーシングの下部に装着され、熱交換器において空気中の水分が凝縮されることによって発生したドレン水を受ける溝部と、溝部の側壁の少なくとも一部を透明又は半透明にした透視部とを有している。ドレンポンプは、溝部で受けられたドレン水をケーシング外に排出している。
【０００７】
この空気調和装置では、冷房運転時において、空調室内の空気は、化粧パネルに形成された吸入口を通じてケーシング内に吸入されて、熱交換器において熱交換を行って冷却された後、化粧パネルに形成された吹出口を通じてケーシング内から空調室内に吹き出される。ここで、熱交換器においては、空気が冷却される際、空気中に含まれる水分が凝縮することによってドレン水が発生しており、このドレン水がドレンパンの溝部で受けられている。そして、ドレンパンの溝部で受けられたドレン水は、ドレンポンプによってケーシング外に排出されるようになっている。
【０００８】
ここで、ドレンパンの溝部に溜まったドレン水の水位は、空気調和装置の運転負荷やドレンポンプの運転状態に応じて変化するが、この空気調和装置では、ドレンパンの溝部の側壁の少なくとも一部に透視部が形成されており、この水位の変化を視認することができるようになっている。このようなドレンパンの溝部の側壁に形成された透視部は、従来のようなドレンパンの底部に形成された透明又は半透明の膨出部とは異なり、ドレンパンの溝部のスペースの影響を受けることなく配置できるとともに、空調室内から透視部を見ることでドレンパンの溝部に溜まったドレン水の水位を視認できるため、ドレンパンの溝部に溜まったドレン水の水位変化を確認する際の視認性を向上させることができる。
【０００９】
請求項２に記載の空気調和装置は、請求項１において、透視部は、溝部の側壁の上端から下端まで延びている。
この空気調和装置では、透視部がドレンパンの溝部の側壁の上端から下端まで形成されているため、ドレンパンの溝部に溜まったドレン水の水位が高い場合や水位変化が大きい場合であっても、ドレンパンの溝部に溜まったドレン水の水位変化を確認する際の視認性を確保することができる。
【００１０】
請求項３に記載の空気調和装置は、請求項１又は２において、透視部は、冷房運転時に、熱交換器によって冷却された空気が通過する空間に配置されている。
この空気調和装置では、冷房運転時に熱交換器によって冷却された空気が通過する空間に透視部が配置されているため、透視部を形成する材料として、断熱性材料を使用する必要がなくなり、透視部を形成する透明又は半透明の材料を選択する上での自由度が増すことになる。
【００１１】
請求項４に記載の空気調和装置は、請求項１〜３のいずれかにおいて、透視部は、吹出口から視認可能な位置に配置されている。
この空気調和装置では、透視部が吹出口から視認可能な位置に配置されているため、化粧パネルを取り外すことなく、ドレンパンの溝部の側壁のドレン水の水位変化を視認することができる。
【００１２】
請求項５に記載の空気調和装置は、請求項１〜４のいずれかにおいて、透視部は、ドレンポンプ付近に配置されている。
この空気調和装置では、透視部がドレンポンプ付近に配置されているため、ドレンポンプによるドレン水の排出動作を正確に視認することができる。
請求項６に記載の空気調和装置は、請求項１〜５のいずれかにおいて、透視部は、前記溝部の側壁の全周に形成されている。
【００１３】
この空気調和装置では、透視部が溝部の側壁の全周に形成されているため、溝部の各所からドレン水の水位を視認することができる。
請求項７に記載の空気調和装置は、請求項１〜６のいずれかにおいて、ドレンパンは、溝部を有し不透明の断熱性材料からなるドレンパン本体と、溝部の内面に重ね合わされた透明又は半透明の防水性材料からなる防水部材とから構成されている。防水部材の一部は、透視部を構成している。
【００１４】
この空気調和装置では、ドレンパンの溝部の内面に重ね合わされた防水部材を利用して透視部を構成しているため、ドレンパンに透視部を形成するために必要な部品点数を少なくすることができる。
【発明の効果】
【００１５】
以上の説明に述べたように、本発明によれば、以下の効果が得られる。
請求項１にかかる発明では、ドレンパンの溝部の側壁の少なくとも一部に透視部が形成されており、ドレンパンの溝部のスペースの影響を受けることなく配置できるとともに、空調室内から透視部を見ることでドレンパンの溝部に溜まったドレン水を視認できるため、ドレンパンの溝部に溜まったドレン水の水位変化を確認する際の視認性を向上させることができる。
【００１６】
請求項２にかかる発明では、透視部がドレンパンの溝部の側壁の上端から下端まで形成されているため、ドレンパンの溝部に溜まったドレン水の水位が高い場合や水位変化が大きい場合であっても、ドレンパンの溝部に溜まったドレン水の水位変化を確認する際の視認性を確保することができる。
請求項３にかかる発明では、冷房運転時に熱交換器によって冷却された空気が通過する空間に透視部が配置されているため、透視部を形成する材料として、断熱性材料を使用する必要がなくなり、透視部を形成する透明又は半透明の材料を選択する上での自由度が増すことになる。
【００１７】
請求項４にかかる発明では、透視部が吹出口から視認可能な位置に配置されているため、化粧パネルを取り外すことなく、ドレンパンの溝部の側壁のドレン水の水位変化を確認することができる。
請求項５にかかる発明では、透視部がドレンポンプ付近に配置されているため、ドレンポンプによるドレン水の排出動作の正確に視認することができる。
【００１８】
請求項６にかかる発明では、透視部が溝部の側壁の全周に形成されているため、溝部の各所からドレン水の水位を視認することができる。
請求項７にかかる発明では、ドレンパンの溝部の内面に重ね合わされた防水部材を利用して透視部を構成しているため、ドレンパンに透視部を形成するために必要な部品点数を少なくすることができる。
【発明を実施するための最良の形態】
【００１９】
以下、本発明にかかる空気調和装置の実施形態について、図面に基づいて説明する。
［第１実施形態］
（１）空気調和装置の全体構成
図１に本発明の第１実施形態にかかる空気調和装置１の外観斜視図（天井は省略）を示す。空気調和装置１は、天井埋込型の空気調和装置であり、内部に各種構成機器を収納するケーシング２と、ケーシング２の下側に配置された化粧パネル３とを備えている。具体的には、空気調和装置１のケーシング２は、図２（空気調和装置１の概略側面断面図であって、図３のＡ−Ｏ−Ａ断面図）に示されるように、空調室の天井Ｕに形成された開口に挿入されて配置されている。そして、化粧パネル３は、天井Ｕの開口に嵌め込まれるように配置されている。
【００２０】
ケーシング２は、図２及び図３（空気調和装置１の概略平面断面図であって、図２のＢ−Ｂ断面図）に示されるように、その平面視において、長辺と短辺とが交互に形成された平面視が略８角形状の下面が開口した箱状体であり、長辺と短辺とが交互に形成された略８角形状の天板２１と、天板２１の周縁部から下方に延びる側板２２とを有している。この側板２２は、天板２１の長辺に対応する側板２２ａ、２２ｂ、２２ｃ、２２ｄと、天板２１の短辺に対応する側板２２ｅ、２２ｆ、２２ｇ、２２ｈとから構成されている。
【００２１】
化粧パネル３は、平面視が略４角形状の板状体であり、その略中央に空調室内の空気を吸入する吸入口３１と、各４辺に対応するように形成されケーシング内から空調室内に空気を吹き出す複数個（本実施形態では、４個）の吹出口３２ａ、３２ｂ、３２ｃ、３２ｄとを有している。そして、化粧パネル３の各辺は、ケーシング２の天板２１の各長辺に対応するように配置されている。吸入口３１は、本実施形態において、略正方形状の開口である。４つの吹出口３２ａ、３２ｂ、３２ｃ、３２ｄは、それぞれ化粧パネル３の各辺に沿う方向に細長く延びる略長方形状の開口である。また、吸入口３１には、吸入グリル３３と、吸込口３１から吸入された空気中の塵埃を除去するためのフィルタ３４とが設けられている。吹出口３２ａ、３２ｂ、３２ｃ、３２ｄには、長手方向の軸周りに揺動可能な水平フラップ３５ａ、３５ｂ、３５ｃ、３５ｄがそれぞれ設けられている。水平フラップ３５ａ、３５ｂ、３５ｃ、３５ｄは、それぞれが対応する各吹出口３２ａ、３２ｂ、３２ｃ、３２ｄの長手方向に細長く延びる略長方形状の羽根部材であり、その長手方向の両端部に設けられた軸支ピンをモータ（図示せず）によって回転駆動させることで、吹出口３２ａ、３２ｂ、３２ｃ、３２ｄから空調室内に向かって吹き出される空気の風向を可変することが可能である。
【００２２】
ケーシング２の内部には、主に、化粧パネル３の吸入口３１を通じて空調室内の空気をケーシング２内に吸入して外周方向に吹き出す送風機４と、送風機４の外周を囲むように配置された熱交換器６とが配置されている。
送風機４は、本実施形態において、ターボファンであり、ケーシング２の天板２１の中央に設けられたファンモータ４１と、ファンモータ４１に連結されて回転駆動される羽根車４２とを有している。羽根車４２は、ファンモータ４１に連結される円板状のハブ４３と、ハブ４３の下面の外周部に設けられた複数のブレード４４と、ブレード４４の下側に設けられた中央に開口を有する円板状のシュラウド４５とを有している。ハブ４３の中央部には、略円錐形状の凸部４３ａが吸入口３１側に向かって突出するように形成されており、この凸部４３ａを吸入口３１側から覆うようにハブカバー４６が取り付けられている。送風機４は、ブレード４４の回転によって、シュラウド４５の開口を通じて羽根車４２の内部に空気を吸入し、羽根車４２の外周側に吸入した空気を吹き出すようになっている。
【００２３】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には蒸発器として、暖房運転時には凝縮器として機能できるようになっている。これにより、熱交換器６は、送風機４によって吸入口３１を通じてケーシング２内に吸入された空気と熱交換を行って、冷房運転時には空気を冷却し、暖房運転時には空気を加熱することが可能である。
【００２４】
熱交換器６の下側には、熱交換器６において空気中の水分が凝縮されて生じるドレン水を受けるためのドレンパン７が配置されている。ドレンパン７は、ケーシング２の下部に装着されている。ドレンパン７は、化粧パネル３の吸入口３１に連通するように形成された吸入孔７１と、化粧パネル３の吹出口３２ａ、３２ｂ、３２ｃ、３２ｄに対応するように形成された吹出孔７２ａ、７２ｂ、７２ｃ、７２ｄと、熱交換器６の下側に形成されドレン水を受けるドレン水受け溝７３とを有している。ここで、４つの吹出孔７２ａ、７２ｂ、７２ｃ、７２ｄは、それぞれが連通する化粧パネル３の吹出口３２ａ、３２ｂ、３２ｃ、３２ｄとともに、熱交換器６において熱交換された空気が通過するための吹出流路１２ａ、１２ｂ、１２ｃ、１２ｄを構成している。尚、ドレンパン７の平面視において、吹出孔７２ａと吹出孔７２ｂとの間の部分をドレンパン角部７５ａ、吹出孔７２ｂと吹出孔７２ｃとの間の部分をドレンパン角部７５ｂ、吹出孔７２ｃと吹出孔７２ｄとの間の部分をドレンパン角部７５ｃ、及び吹出孔７２ｄと吹出孔７２ａとの間の部分をドレンパン角部７５ｄとする。
【００２５】
また、ドレンパン７の吸入孔７１には、吸入口３１から吸入される空気を送風機４の羽根車４２へ案内するためのベルマウス５が配置されている。
以上のように、空気調和装置１には、化粧パネル３の吸入口３１からフィルタ３４、ベルマウス５、ドレンパン７、送風機４及び熱交換器６を経由して、４つの吹出口３２ａ、３２ｂ、３２ｃ、３２ｄへ至る空気流路１１が形成されており、空調室内の空気を吸入して熱交換器６において熱交換させた後、空調室内に吹き出すことができるようになっている。
【００２６】
（２）ドレン水を排出するための構成
次に、本実施形態の空気調和装置１におけるドレン水を排出するための構成について説明する。
ドレンパン７は、本実施形態において、図２、図３、図４（図２の拡大図であって、吹出流路１２ｃ付近を示す図）及び図５（ドレンパン７の斜視図）に示されるように、主として、ケーシング２の側板２２ａ〜２２ｈの内面に沿う平面視が略８角形状の発泡スチロール等の不透明の断熱性材料からなる部材であり、上述のように、吸入孔７１と、４つの吹出孔７２ａ、７２ｂ、７２ｃ、７２ｄと、ドレン水受け溝７３（溝部）とを有している。吸入孔７１は、平面視中央に形成された略円形の開口からなる。４つの吹出孔７２ａ、７２ｂ、７２ｃ、７２ｄは、それぞれ、側板２２ａ、２２ｂ、２２ｃ、２２ｄに沿って形成された略長方形状の開口からなる。ドレン水受け溝７３は、主として、平面視において吸入孔７１と吹出孔７２ａ、７２ｂ、７２ｃ、７２ｄとの間に形成されており、側面視が熱交換器６の下端部が挿入可能な略Ｕ字形状で、かつ、平面視が略環状の溝部からなる。ドレン水受け溝７３は、主として、側面視が熱交換器６の下端部が挿入される吸入孔７１を囲む主溝部７６と、角部７５ｃにおいて主溝部７６に連通されるように形成されたポンプ配置溝部７７とから構成されている。ポンプ配置溝部７７には、ドレン水受け溝７３に溜まったドレン水をケーシング２外に排出するドレンポンプ８が配置されている。そして、このドレン水受け溝７３の内面、すなわち、ドレン水受け溝７３に溜まったドレン水が接触する溝の底面や両側壁には、透明又は半透明のポリスチレン等の防水性材料からなるシート状の防水部材７ｂが重ね合わされるように配置されている。このため、ドレンパン７は、不透明の断熱性材料からなるドレンパン本体７ａと、透明又は半透明の防水性材料からなる防水部材７ｂとの２層構造となっている。尚、ドレンパン７は、金型内でスチロール樹脂を発泡させることによって成形されたドレンパン本体７ａに防水部材７ｂを重ね合わせて接着したり、防水部材７ｂが予め配置された金型内でスチロール樹脂を発泡させることによってドレンパン本体７ａを成形する等によりことにより製造されている。
【００２７】
ここで、ドレン水受け溝７３の外周側（すなわち、吹出孔７２ａ、７２ｂ、７２ｃ、７２ｄやドレンパン角部７５ａ、７５ｂ、７５ｃ、７５ｄ側）の側壁を外側側壁７８とし、主溝部７６の内周側（すなわち、吸入孔７１側）の側壁を内側側壁７９とすると、本実施形態において、ドレンパン本体７ａの外側側壁７８を形成する部分のうち、吹出孔７２ｃの周縁部を形成する部分７８ａが切り欠かれており、この部分７８ａが防水部材７ｂのみによって覆われて形成された透視部８１となっている。このため、空調室内から透視部８１を見ることでドレンパン７のドレン水受け溝７３に溜まったドレン水の水位の変化を視認することができるようになっている。しかも、この透視部８１は、吹出孔７２ｃに連通する吹出口３２ｃを通じて空調室内から視認可能である。尚、防水部材７ｂの透視部８１を構成する部分のシート厚みは、本実施形態において、他の部分と比べて少し厚くなっている。
【００２８】
また、透視部８１は、本実施形態において、部分７８ａがドレン水受け溝７３の外側側壁７８の上端から下端まで切り欠かれることによりドレン水受け溝７３の外側側壁７８の上端から下端まで延びるように形成されているため、ドレン水受け溝７３に溜まったドレン水の水位が高い場合や水位変化が大きい場合であっても視認可能となっている。
（３）空気調和装置の動作
次に、空気調和装置１の動作について、図２、図３及び図４を用いて説明する。
【００２９】
（通常運転時）
まず、冷房運転や暖房運転等の通常運転時における動作について説明する。通常運転時には、ファンモータ４１が駆動されて、送風機４の羽根車４２が回転する。また、ファンモータ４１の駆動とともに、熱交換器６内には、室外ユニット（図示せず）から冷媒が供給される。ここで、熱交換器６は、冷房運転時には蒸発器として、暖房運転時には凝縮器として作用する。そして、羽根車４２の回転に伴って、空調室内の空気は、化粧パネル３の吸入口３１からフィルタ３４及びベルマウス５を通じて送風機４の下側から吸入される。この吸入された空気は、羽根車４２によって外周側に吹き出されて熱交換器６に達し、熱交換器６において冷却又は加熱された後、吹出孔７２ａ〜７２ｄ及び吹出口３２ａ〜３２ｄ（すなわち、吹出流路１２ａ〜１２ｄ）を通じて空調室内に向かって吹き出される。このようにして、空調室内の冷房又は暖房が行われる。
【００３０】
ところで、冷房運転時においては、ケーシング２内に吸入された空調室内の空気が熱交換器６において冷却される際、この空気中に含まれる水分が凝縮することによってドレン水が発生しており、このドレン水がドレンパン７のドレン水受け溝７３で受けられている。そして、ドレン水受け溝７３で受けられたドレン水は、ドレンポンプ８によってケーシング２外に排出されるようになっている。
【００３１】
ここで、ドレン水受け溝７３に溜まったドレン水の水位は、空気調和装置１の運転負荷やドレンポンプ８の運転状態に応じて変化するが、この空気調和装置１では、ドレン水受け溝７３の外側側壁７８の吹出孔７２ｃの周縁部を形成する部分７８ａに透視部８１が形成されており、空調室内から透視部８１を見ることでドレン水受け溝７３に溜まったドレン水の水位の変化を視認することができるようになっている。
【００３２】
しかも、透視部８１は、空調室内から吹出口３２ｃを通じて視認可能な位置であるため（図４の矢印Ｃ参照）、化粧パネル３が取り付けられた状態のままで、ドレン水受け溝７３に溜まったドレン水の水位の変化を視認することができるようになっている。
また、透視部８１は、空気流路１１のうち冷房運転時に熱交換器６において冷却された空気が通過する空間１１ｂに配置されているため、外側側壁７８の他の部分と比べて断熱性が低いにもかかわらず、透視部８１の表面が結露しないようになっている。
【００３３】
さらに、透視部８１は、ドレン水受け溝７３の外側側壁７８に形成されているため、長期間にわたって空気調和装置１を運転した後においても、汚れにくく視認性が損なわれるおそれが少ない。
このように、空気調和装置１の通常運転を行いつつ、ドレンポンプ８によるドレン水の排水動作の動作確認を行うことができるようになっている。
【００３４】
（試運転時）
次に、空気調和装置１の据付後又はメンテナンス後の試運転時における動作について説明する。試運転は、通常運転とは異なり、ドレンパン７のドレン水受け溝７３に予め外部から注水しておき、ドレンポンプ８を運転することによって行う。この場合においても、化粧パネル３が取り付けられた状態のままで、空調室内から吹出口３２ｃを通じて透視部８１におけるドレン水受け溝７３に溜まったドレン水の水位の変化を視認することができるため、空気調和装置１の据付作業後やメンテナンス後の復旧作業後に、ドレンポンプ８によるドレン水の排水動作の動作確認を行うことができる。これにより、空気調和装置１の据付作業やメンテナンス後の復旧作業の作業性が向上する。
【００３５】
（４）空気調和装置の特徴
本実施形態の空気調和装置１には、以下のような特徴がある。
（Ａ）
本実施形態の空気調和装置１では、ドレンパン７のドレン水受け溝７３の側壁７８、７９の少なくとも一部（具体的には、外側側壁７８の部分７８ａ）に透明又は半透明の透視部８１が形成されており、ドレン水受け溝７３で受けられたドレン水の水位の変化を視認することができるようになっている。このようなドレンパン７のドレン水受け溝７３の側壁７８に形成された透視部８１は、従来のようなドレンパンの底部に形成された透明又は半透明の膨出部とは異なり、ドレン水受け溝７３のスペースの影響を受けることなく配置することができるとともに、空調室内から透視部８１を見ることでドレン水受け溝７３に溜まったドレン水の水位を視認できるため、ドレン水受け溝７３に溜まったドレン水の水位変化を確認する際の視認性を向上させることができる。
【００３６】
（Ｂ）
この空気調和装置１では、透視部８１がドレン水受け溝７３の側壁７８の上端から下端まで形成されているため、ドレン水受け溝７３に溜まったドレン水の水位が高い場合や水位変化が大きい場合であっても、ドレン水受け溝７３に溜まったドレン水の水位変化を確認する際の視認性を確保することができる。
【００３７】
（Ｃ）
この空気調和装置１では、冷房運転時に熱交換器６によって冷却された空気が通過する空間１１ｂに透視部８１が配置されているため、透視部８１を形成する材料として、ドレンパン本体７ａのような断熱性材料を使用する必要がなくなり、透視部８１を形成する材料選択の自由度が増すことができる。
【００３８】
（Ｄ）
この空気調和装置１では、透視部８１が吹出口３２ｃから視認可能な位置に配置されているため、化粧パネル３を取り外すことなく、ドレン水受け溝７３に溜まったドレン水の水位変化を視認することができる。これにより、空気調和装置１の据付作業後やメンテナンス後の復旧作業後に、ドレンポンプ８によるドレン水の排水動作の動作確認を行うことができるようになるため、空気調和装置１の据付作業やメンテナンス後の復旧作業の作業性を向上させることができる。また、通常運転時にも、ドレンポンプ８の動作確認を行うことができる。
【００３９】
（Ｅ）
この空気調和装置１では、透視部８１がドレンポンプ８が配置されたポンプ配置溝部７７に隣り合う吹出孔７２ｃに対応するように配置されているため、ドレンポンプ８によるドレン水の排出動作を正確に視認することができる。
（Ｆ）
この空気調和装置１では、ドレンパン７は、ドレン水受け溝７３を有し不透明の断熱性材料からなるドレンパン本体７ａと、ドレン水受け溝７３の内面、すなわち、ドレン水受け溝７３に溜まったドレン水が接触する溝の底面や両側壁７８、７９に重ね合わされた透明又は半透明の防水性材料からなる防水部材７ｂを利用して透視部８１を構成しているため、ドレンパン７に透視部８１を形成するために必要な部品点数を少なくすることができる。
【００４０】
（５）変形例１
前記実施形態において、透視部８１は、防水部材７ｂによって構成されているが、図６に示されるように、透視部８１を防水部材７ｂとは別のアクリル樹脂等からなる板状部材７ｃを用いて構成してもよい。この場合には、前記実施形態のように防水部材７ｂの透視部８１を構成する部分のシート厚みを大きくする必要がなくなり、防水部材７ｂとしてシート厚みが一定のものを使用することができるため、防水部材７ｂのコスト増加を極力抑えることができる。このような本変形例においても、ドレン水受け溝７３に溜まったドレン水の水位の変化を透視部８１から視認することができる。
【００４１】
（６）変形例２
前記実施形態において、透視部８１は、外側側壁７８の吹出孔７２ｃに対応する部分７８ａを防水部材７ｂのみで構成することによって形成されているが、図７に示されるように、吹出孔７２ｃの周縁部を形成する部分だけでなく、外側側壁７８の全周を防水部材７ｂのみで構成することによって、他の３つの吹出孔７２ａ、７２ｂ、７２ｄの周縁部に対応する部分にも透視部８２、８３、８４を設けるようにしてもよい。この場合、透視部８２、８３、８４は、それぞれ、空調室内から吹出口３２ｄ、３２ａ、３２ｂを通じて視認可能な位置であるため、化粧パネル３が取り付けられた状態のままで、ドレン水受け溝７３に溜まったドレン水の水位の変化を４つの吹出口３２ａ〜３２ｄのいずれからも視認することができる。
【００４２】
［第２実施形態］
（１）空気調和装置の全体構成
第１実施形態にかかる空気調和装置１は、平面視が略４角形状の化粧パネル３の各辺に対応するように４つの吹出口３２ａ、３２ｂ、３２ｃ、３２ｄを有しているが、図８に示される本実施形態の空気調和装置１０１では、空調室内に吹き出される空気の気流分布を良好にするために、化粧パネル１０３の平面視における角部に補助吹出口を設けている。このような補助吹出口をさらに備えた空気調和装置１０１に本発明を適用した実施形態について、図８〜図１０を用いて説明する。
【００４３】
空気調和装置１０１は、天井埋込型の空気調和装置であり、内部に各種構成機器を収納するケーシング１０２と、ケーシング１０２の下側に配置された化粧パネル１０３とを備えている。
ケーシング１０２は、図９（空気調和装置１０１の概略側面断面図であって、図１０のＡ−Ｏ−Ａ断面図）及び図１０（空気調和装置１０１の概略平面断面図であって、図９のＢ−Ｂ断面図）に示されるように、その平面視において、長辺と短辺とが交互に形成された平面視が略８角形状の下面が開口した箱状体であり、長辺と短辺とが交互に形成された略８角形状の天板１２１と、天板１２１の周縁部から下方に延びる側板１２２とを有している。この側板１２２は、天板１２１の長辺に対応する側板１２２ａ、１２２ｂ、１２２ｃ、１２２ｄと、天板１２１の短辺に対応する側板１２２ｅ、１２２ｆ、１２２ｇ、１２２ｈとから構成されている。
【００４４】
化粧パネル１０３は、平面視が略４角形状の板状体であり、その略中央に空調室内の空気を吸入する吸入口１３１と、各辺に対応するように形成されケーシング内から空調室内に空気を吹き出す複数個（本実施形態では、４個）の吹出口１３２ａ、１３２ｂ、１３２ｃ、１３２ｄとを有している。そして、化粧パネル１０３の各辺は、ケーシング１０２の天板１２１の各長辺に対応するように配置されている。吸入口１３１は、本実施形態において、略正方形状の開口である。４つの吹出口１３２ａ、１３２ｂ、１３２ｃ、１３２ｄは、それぞれ化粧パネル１０３の各辺に沿う方向に細長く延びる略長方形状の開口である。また、吸入口１３１には、吸入グリル１３３と、吸込口１３１から吸入された空気中の塵埃を除去するためのフィルタ１３４とが設けられている。吹出口１３２ａ、１３２ｂ、１３２ｃ、１３２ｄには、第１実施形態の空気調和装置１の化粧パネル３と同様、長手方向の軸周りに揺動可能な水平フラップ１３５ａ、１３５ｂ、１３５ｃ、１３５ｄがそれぞれ設けられており、吹出口１３２ａ、１３２ｂ、１３２ｃ、１３２ｄから空調室内に向かって吹き出される気流の風向を可変することが可能になっている。
【００４５】
さらに、本実施形態の空気調和装置１０１の化粧パネル１０３には、補助吹出口１３２ｅ〜１３２ｈが形成されている。具体的には、化粧パネル１０３の平面視において、吹出口１３２ａと吹出口１３２ｂとの間の部分をパネル角部１３６ａ、吹出口１３２ｂと吹出口１３２ｃとの間の部分をパネル角部１３６ｂ、吹出口１３２ｃと吹出口１３２ｄとの間の部分をパネル角部１３６ｃ、及び吹出口１３２ｄと吹出口１３２ａとの間の部分をパネル角部１３６ｄとして、補助吹出口１３２ｅは、パネル角部１３６ａに形成されており、補助吹出口１３２ｆは、パネル角部１３６ｂに形成されており、補助吹出口１３２ｇは、パネル角部１３６ｃに形成されており、補助吹出口１３２ｈは、パネル角部１３６ｄに形成されている。
【００４６】
ケーシング１０２の内部には、主に、化粧パネル１０３の吸入口１３１を通じて空調室内の空気をケーシング２内に吸入して外周方向に吹き出す送風機１０４と、送風機１０４の外周を囲むように配置された熱交換器１０６とが配置されている。尚、送風機１０４及び熱交換器１０６については、第１実施形態の空気調和装置１の送風機４及び熱交換器６と同様であるため、説明を省略する。
【００４７】
熱交換器１０６の下側には、熱交換器１０６において空気中の水分が凝縮されて生じるドレン水を受けるためのドレンパン１０７が配置されている。ドレンパン１０７は、ケーシング１０２の下部に装着されている。ドレンパン１０７は、化粧パネル１０３の吸入口１３１に連通するように形成された吸入孔１７１と、化粧パネル１０３の吹出口１３２ａ、１３２ｂ、１３２ｃ、１３２ｄに連通するように形成された吹出孔１７２ａ、１７２ｂ、１７２ｃ、１７２ｄと、熱交換器１０６の下側に形成されドレン水を受けるドレン水受け溝１７３とを有している。ここで、４つの吹出孔１７２ａ、１７２ｂ、１７２ｃ、１７２ｄは、それぞれが対応する化粧パネル１０３の吹出口１３２ａ、１３２ｂ、１３２ｃ、１３２ｄとともに、熱交換器１０６において熱交換された空気が通過するための吹出流路１１２ａ、１１２ｂ、１１２ｃ、１１２ｄを構成している。
【００４８】
さらに、本実施形態の空気調和装置１０１のドレンパン１０７は、化粧パネル１０３の補助吹出口１３２ｅ、１３２ｆ、１３２ｇに連通するように形成された吹出孔１７２ｅ、１７２ｆ、１７２ｇを有している。ここで、ドレンパン１０７の平面視において、吹出孔１７２ａと吹出孔１７２ｂとの間の部分をドレンパン角部１７５ａ、吹出孔１７２ｂと吹出孔１７２ｃとの間の部分をドレンパン角部１７５ｂ、吹出孔１７２ｃと吹出孔１７２ｄとの間の部分をドレンパン角部１７５ｃ、及び吹出孔１７２ｄと吹出孔１７２ａとの間の部分をドレンパン角部１７５ｄとすると、吹出孔１７２ｅ、１７２ｆ、１７２ｇは、ドレンパン角部１７５ａ、１７５ｂ、１７５ｃにそれぞれ形成されていることになる。そして、３つの吹出孔１７２ｅ、１７２ｆ、１７２ｇは、それぞれが連通する化粧パネル１０３の補助吹出口１３２ｅ、１３２ｆ、１３２ｇとともに、熱交換器１０６において熱交換された空気が通過するための吹出流路１１２ｅ、１１２ｆ、１１２ｇを構成している。このため、空気調和装置１０１において、補助吹出口１３２ｈが形成されたドレンパン角部１７５ｄには、吹出孔が形成されておらず、補助吹出口１３２ｈは、ケーシング１０２内に吸入された空気を空調室内に向かって吹き出す機能を有していない。
【００４９】
また、ドレンパン１０７の吸入孔１７１には、吸入口１３１から吸入される空気を送風機１０４の羽根車１４２へ案内するためのベルマウス１０５が配置されている。
以上のように、空気調和装置１０１には、化粧パネル１０３の吸入口１３１からフィルタ１３４、ベルマウス１０５、ドレンパン１０７、送風機１０４及び熱交換器１０６を経由して、４つの吹出口１３２ａ、１３２ｂ、１３２ｃ、１３２ｄ及び３つの補助吹出口１３２ｅ、１３２ｆ、１３２ｇへ至る空気流路１１１が形成されており、空調室内の空気を吸入して熱交換器１０６において熱交換させた後、空調室内に吹き出すことができるようになっている。
【００５０】
（２）ドレン水を排出するための構成
次に、本実施形態の空気調和装置１０１におけるドレン水を排出するための構成について説明する。
ドレンパン１０７は、本実施形態において、図９、図１０、図１１（図９の拡大図であって、吹出流路１１２ｇ付近を示す図）を及び図１２（ドレンパン１０７の斜視図）に示されるように、第１実施形態の空気調和装置１のドレンパン７と同様、主として、ケーシング１０２の側板１２２ａ〜１２２ｈの内面に沿う平面視が略８角形状の発泡スチロール等の不透明の断熱性材料からなる部材であり、上述のように、吸入孔１７１と、７つの吹出孔１７２ａ、１７２ｂ、１７２ｃ、１７２ｄ、１７２ｅ、１７２ｆ、１７２ｇと、ドレン水受け溝１７３（溝部）とを有している。吸入孔１７１は、平面視中央に形成された略円形の開口からなる。４つの吹出孔１７２ａ、１７２ｂ、１７２ｃ、１７２ｄは、それぞれ、側板１２２ａ、１２２ｂ、１２２ｃ、１２２ｄに沿って形成された略長方形状の開口からなる。ドレン水受け溝１７３は、主として、平面視において吸入孔１７１と吹出孔１７２ａ、１７２ｂ、１７２ｃ、１７２ｄ、１７２ｅ、１７２ｆ、１７２ｇとの間に形成されており、側面視が熱交換器１０６の下端部が挿入可能な略Ｕ字形状で、かつ、平面視が略環状の溝部からなる。ドレン水受け溝１７３は、主として、側面視が熱交換器１０６の下端部が挿入される吸入孔１７１を囲む主溝部１７６と、角部１７５ｃにおいて主溝部１７６に連通されるように形成されたポンプ配置溝部１７７とから構成されている。ポンプ配置溝部１７７には、ドレン水受け溝１７３に溜まったドレン水をケーシング１０２外に排出するドレンポンプ１０８が配置されている。そして、このドレン水受け溝１７３の内面、すなわち、ドレン水受け溝１７３に溜まったドレン水が接触する溝の底面や両側壁には、透明又は半透明のポリスチレン等の防水性材料からなる防水部材１０７ｂが重ね合わされるように配置されている。このため、ドレンパン１０７は、第１実施形態の空気調和装置１のドレンパン７と同様、不透明の断熱性材料からなるドレンパン本体１０７ａと、透明又は半透明の防水性材料からなる防水部材１０７ｂとの２層構造となっている。
【００５１】
ここで、ドレン水受け溝１７３の外周側（すなわち、吹出孔１７２ａ、１７２ｂ、１７２ｃ、１７２ｄ、１７２ｅ、１７２ｆ、１７２ｇやドレンパン角部１７５ａ、１７５ｂ、１７５ｃ、１７５ｄ側）の側壁を外側側壁１７８とし、主溝部１７６の内周側（すなわち、吸入孔１７１側）の側壁を内側側壁１７９とすると、本実施形態において、ドレンパン本体１０７ａの外側側壁１７８を形成する部分のうち、吹出孔１７２ｇの周縁部を形成する部分１７８ａが切り欠かれており、この部分１７８ａが防水部材１０７ｂのみによって覆われて形成された透視部１８１となっている。しかも、この透視部１８１は、吹出孔１７２ｇに連通された補助吹出口１３２ｇを通じて空調室内から視認可能である。このため、空調室内から透視部１８１を見ることでドレンパン１０７のドレン水受け溝１７３に溜まったドレン水の水位の変化を視認することができるようになっている。
【００５２】
また、透視部１８１は、本実施形態において、部分１７８ａがドレン水受け溝１７３の外側側壁１７８の上端から下端まで切り欠かれることによりドレン水受け溝１７３の外側側壁１７８の上端から下端まで延びるように形成されているため、ドレン水受け溝１７３に溜まったドレン水の水位が高い場合や水位変化が大きい場合であっても視認可能となっている。
【００５３】
（３）空気調和装置の動作
次に、空気調和装置１０１の動作について、図９、図１０及び図１１を用いて説明する。
まず、冷房運転や暖房運転等の通常運転時における動作について説明する。通常運転時には、ファンモータ１４１が駆動されて、送風機１０４の羽根車１４２が回転する。また、ファンモータ１４１の駆動とともに、熱交換器１０６内には、室外ユニット（図示せず）から冷媒が供給される。ここで、熱交換器１０６は、冷房運転時には蒸発器として、暖房運転時には凝縮器として作用する。そして、羽根車１４２の回転に伴って、空調室内の空気は、化粧パネル１０３の吸入口１３１からフィルタ１３４及びベルマウス１０５を通じて送風機１０４の下側から吸入される。この吸入された空気は、羽根車１４２によって外周側に吹き出されて熱交換器１０６に達し、熱交換器１０６において冷却又は加熱された後、吹出孔１７２ａ〜１７２ｄ及び吹出口１３２ａ〜１３２ｄ（すなわち、吹出流路１１２ａ〜１１２ｄ）と、吹出孔１７２ｅ、１７２ｆ、１７２ｇ及び及び補助吹出口１３２ｅ、１３２ｆ、１３２ｇ（すなわち、吹出流路１１２ｅ〜１１２ｇ）を通じて空調室内に向かって吹き出される。このようにして、空調室内の冷房又は暖房が行われる。
【００５４】
ところで、冷房運転時においては、ケーシング１０２内に吸入された空調室内の空気が熱交換器１０６において冷却される際、この空気中に含まれる水分が凝縮することによってドレン水が発生しており、このドレン水がドレンパン１０７のドレン水受け溝１７３で受けられている。そして、ドレン水受け溝１７３で受けられたドレン水は、ドレンポンプ１０８によってケーシング１０２外に排出されるようになっている。
【００５５】
ここで、ドレン水受け溝１７３に溜まったドレン水の水位は、空気調和装置１０１の運転負荷やドレンポンプ１０８の運転状態に応じて変化するが、この空気調和装置１０１では、ドレン水受け溝１７３の外側側壁１７８の吹出孔１７２ｇの周縁部を形成する部分１７８ａに透視部１８１が形成されており、空調室内から透視部１８１を見ることでドレン水受け溝１７３に溜まったドレン水の水位の変化を視認することができるようになっている。
【００５６】
このように、第１実施形態の空気調和装置１と同様に、空気調和装置１０１の通常運転を行いつつ、ドレンポンプ１０８によるドレン水の排水動作の動作確認を行うことができるようになっている。
また、空気調和装置１０１の据付後又はメンテナンス後の試運転時においても、第１実施形態の空気調和装置１と同様、空気調和装置１０１の据付作業後やメンテナンス後の復旧作業後に、ドレンポンプ１０８によるドレン水の排水動作の動作確認を行うことができるため、空気調和装置１０１の据付作業やメンテナンス後の復旧作業の作業性が向上する。
【００５７】
（４）空気調和装置の特徴
本実施形態の空気調和装置１０１のように、化粧パネル１０３のパネル角部１３６ａ〜１３６ｃに対応するように補助吹出口１３２ｅ〜１３２ｇを形成した空気調和装置においては、ドレン水受け溝１７３の外側側壁１７８の吹出孔１７２ｇ（補助吹出口１３６ｇに対応）の周縁部を形成する部分１７８ａに透視部１８１を形成することができて、第１実施形態の空気調和装置１と同様、ドレン水受け溝１７３に溜まったドレン水の水位の変化を透視部１８１から視認することができる。
【００５８】
しかも、透視部１８１がドレンポンプ１０８が配置されたポンプ配置溝部１７７に近接する吹出孔１７２ｇに対応するように配置されているため、ドレンポンプ１０８によるドレン水の排出動作を正確に視認することができる。
（５）変形例
前記実施形態において、透視部１８１は、外側側壁１７８の吹出孔１７２ｇに対応する部分１７８ａを防水部材１０７ｂのみで構成することによって形成されているが、図１３に示されるように、吹出孔１７２ｇに対応する部分だけでなく、外側側壁１７８の全周を防水部材１０７ｂのみで構成することによって、他の６つの吹出孔１７２ａ、１７２ｂ、１７２ｃ、１７２ｄ、１７２ｅ、１７２ｆの周縁部に対応する部分をにも透視部１８２、１８３、１８４、１８５、１８６、１８７をさらに設けるようにしてもよい。この場合、透視部１８２、１８３、１８４、１８５、１８６、１８７については、それぞれ、空調室内から吹出口１３２ｄ、吹出口１３２ａ、補助吹出口１３２ｅ、吹出口１３２ｂ、補助吹出口１３２ｆ、吹出口１３２ｃを通じて視認可能な位置であるため、化粧パネル１０３が取り付けられた状態のままで、ドレン水受け溝１７３に溜まったドレン水の水位の変化を７つの吹出口１３２ａ〜１３２ｇのいずれからも視認することができる。
【００５９】
［他の実施形態］
以上、本発明の実施形態について図面に基づいて説明したが、具体的な構成は、これらの実施形態に限られるものではなく、発明の要旨を逸脱しない範囲で変更可能である。
例えば、第１及び第２実施形態においては、略４角形状の化粧パネル３、１０３の各辺に対応するように形成された４つの吹出口３２ａ〜３２ｄ、又は、３つの補助吹出口１３２ｅ、１３２ｆ、１３２ｇを加えた７つの吹出口１３２ａ〜１３２ｇを有する空気調和装置１、１０１に本発明を適用しているが、これに限定されるものではなく、平面視が略長方形状のケーシングの長手方向に平行に並んだ２つの吹出口を有する天井埋込型の空気調和装置に本発明を適用してもよい。
【産業上の利用可能性】
【００６０】
本発明を利用すれば、天井埋込型の空気調和装置において、ドレンパンの溝部に溜まったドレン水の水位変化を確認する際の視認性を向上させることができる。
【図面の簡単な説明】
【００６１】
【図１】本発明の第１実施形態にかかる空気調和装置の外観斜視図である。
【図２】第１実施形態にかかる空気調和装置の概略側面断面図であって、図３のＡ−Ｏ−Ａ断面図である。
【図３】第１実施形態にかかる空気調和装置の概略平面断面図であって、図２のＢ−Ｂ断面図である。
【図４】図２の拡大図であって、吹出流路付近を示す図である。
【図５】第１実施形態にかかる空気調和装置が備えたドレンパンの斜視図である。
【図６】第１実施形態の変形例１にかかる空気調和装置の図４に相当する図である。
【図７】第１実施形態の変形例２にかかる空気調和装置が備えたドレンパンの斜視図である。
【図８】本発明の第２実施形態にかかる空気調和装置の外観斜視図である。
【図９】第２実施形態にかかる空気調和装置の概略側面断面図であって、図１０のＡ−Ｏ−Ａ断面図である。
【図１０】第２実施形態にかかる空気調和装置の概略平面断面図であって、図９のＢ−Ｂ断面図である。
【図１１】図９の拡大図であって、吹出流路付近を示す図である。
【図１２】第２実施形態にかかる空気調和装置が備えたドレンパンの斜視図である。
【図１３】第２実施形態の変形例にかかる空気調和装置が備えたドレンパンの斜視図である。
【符号の説明】
【００６２】
１、１０１  空気調和装置
２、１０２  ケーシング
３、１０３  化粧パネル
６、１０６  熱交換器
７、１０７  ドレンパン
７ａ、１０７ａ  ドレンパン本体
７ｂ、１０７ｂ  防水部材
８、１０８  ドレンポンプ
１１ｂ、１１１ｂ  空間
３１、１３１  吸入口
３２ａ〜３２ｄ、１３２ａ〜１３２ｇ  吹出口、補助吹出口（吹出口）
７３、１７３  ドレン水受け溝（溝部）
７８、７９、１７８、１７９  内側側壁、外側側壁（側壁）
８１〜８４、１８１〜１８７  透視部
【図１】
2005140452.tif 000003
【図２】
2005140452.tif 000004
【図３】
2005140452.tif 000005
【図４】
2005140452.tif 000006
【図５】
2005140452.tif 000007
【図６】
2005140452.tif 000008
【図７】
2005140452.tif 000009
【図８】
2005140452.tif 000010
【図９】
2005140452.tif 000011
【図１０】
2005140452.tif 000012
【図１１】
2005140452.tif 000013
【図１２】
2005140452.tif 000014
【図１３】
2005140452.tif 000015